(57)【要約】【課題】筐体内部に振動源をもつ機器装置において、機器装置の筐体内部の構造物に伝達する振動を抑制し、ビビリ音等の異音を防止すること。【解決手段】機器装の置筐体の内部壁面に爪口部を設け、前記爪口部に係合する爪部を持った置台を前記爪口部に懸架し、さらに前記置台上に前記機器装置の内部構造物を載置する機器装置において、前記置台は前記爪部を除いて前記筐体内部壁面に接触しない形状にすることにより、異音発生および振動を防止する。【選択図】図５
2005201555.tif 000002
【特許請求の範囲】
【請求項１】
機器装置筐体の内部壁面に爪口部を設け、前記爪口部に係合する爪部を持った置台に前記筐体の内部構造物を載置する機器装置において、前記置台は前記爪部を除いて前記筐体内部壁面に接触しないことを特徴とする機器装置。
【請求項２】
構造物の置台の爪部を少なくとも２ヶ所以上設けたことを特徴とする、請求項１に記載の機器装置。
【請求項３】
置台に載置する構造物の重心の鉛直下方への投影点は、置台の爪部を直線で組んでなる多角形の内部に存在することを特徴とする、請求項１〜２のいずれかに記載の機器装置。
【発明の詳細な説明】
【技術分野】
【０００１】
本発明は異音および振動を抑制する機器装置の構造に関するものである。
【背景技術】
【０００２】
従来、この種の機器装置として例えば空気調和機がある。そして、空気調和装置は室内機と室外機で構成している。
【０００３】
図１は、室内機１と室外機２で構成された空気調和装置を示すものである。図２は室外機２を正面から見た室外機中の構成図である（室外機２の前板をはずしている状態）。
【０００４】
この室外機２の内部には室外ファン３により送風回路を構成するために仕切る防音板４と、屋外の空気から酸素濃度を高めて室内に送り込む酸素富化装置の運転時に使用する真空ポンプ５と、真空ポンプ５を設置する真空ポンプの置台６、冷凍サイクルの冷媒圧縮に使用する圧縮機７、制御装置等の電装部分８を構成する電装ブロックなどからなる。
【０００５】
図３は、図２の構成図中の防音板４と真空ポンプ５の置台６近傍の詳細斜視図である。置き台６は爪部Ｄ・Ｅにより防音板４に懸架され、止め部Ａ・Ｂ・Ｃでビス（図示せず）により固定されている。
【０００６】
爪部Ｄ・Ｅは、防音板に設けられた爪口部分に挿入して固定される。また止め部Ａ・Ｃは防音板と、止め部Ｂは防音板以外の構造体に固定されている。
【０００７】
図４は、図３の防音板４と真空ポンプ５の置台６の平面図である。
【０００８】
以上のように構成された空気調和装置の室外機において、図３と図２に示すように、防音板４と置台５は爪部Ｄ・Ｅより防音板４に掛けて固定され、止め部Ａ・Ｂ・Ｃによりビスにより固定されていた（爪部Ｄと止め部Ａは同一部分）。
【０００９】
また斜線部分のＦ・Ｇにおいて、防音板４と置台５が接触して固定され、さらに強固な固定をするために防音板４と置台５の間にポリエチレンなどの柔軟性のある樹脂を挿入し隙間を完全に無くして固定していた（例えば、特許文献１参照）。
【特許文献１】特開平２−１３６６３１号公報
【発明の開示】
【発明が解決しようとする課題】
【００１０】
しかしながら、前記従来の構成では、機器装置の運転をする場合、内部の振動源から発生する振動が、置台に伝達し、防音板と置台が異音を発生したり、運転周波数あるいは運転速度によっては防音板と機器装置本体も振動するという課題を有していた。
【００１１】
本発明は、前記従来の課題を解決するもので、機器装置内の構造物を載置する置台の振動を防止する機器装置を提供することを目的とする。
【課題を解決するための手段】
【００１２】
前記従来の課題を解決するために、本発明の機器装置は、運転時に振動源から発生する振動が置台から筐体内部壁面に伝わることを抑制するため、置台を置台の爪部以外に筐体内部壁面との接触部分をなくしたものである。
【００１３】
これによって、置台と筐体内部壁面の接触による異音がなくなり、振動源から機器装置本体に伝達する振動を防止できる。
【発明の効果】
【００１４】
本発明の機器装置は、簡単な構造で異音や振動を抑制することができる。
【発明を実施するための最良の形態】
【００１５】
第１の発明は機器装置筐体の内部壁面に爪口部を設け、前記爪口部に係合する爪部を持った置台に前記筐体の内部構造物を載置する機器装置において、前記置台は前記爪部を除いて前記筐体内部壁面に接触しないことにより、筐体内部壁面と置台との間の異音がなくなり、さらに機器装置の振動を防止することができる。
【００１６】
第２の発明は、特に、第１の発明の構造物の置台の爪部を少なくとも２ヶ所以上設けた
ことにより、振動源の振動が置台の爪部にのみ伝わり、大きく振動が伝わることを防止することができる。
【００１７】
第３の発明は、特に、第１または第２の発明の置台に載置する構造物の重心の鉛直下方への投影点は、置台の爪部を直線で組んでなる多角形の内部に存在することにより、置台に対して構造物を安定させることにより振動を防止することができる。
【００１８】
以下、本発明の実施の形態について、図面を参照しながら説明する。なお、この実施の形態によって本発明が限定されるものではない。また、機器装置として空気調和機を例にとり説明する。
【００１９】
（実施の形態１）
図１は、本発明の実施の形態１における空気調和装置を示すものである。図２は、この空気調和装置の室外機２を正面から見た構成図を示している。図1、図２は、背景技術と同様であるので説明は省略する。
【００２０】
図５は、図２の構成図から抜粋して防音板４と真空ポンプ５の置台９を示した斜視図である。置台９は爪部Ｄ・Ｅにより防音板４に掛けられ、止め部Ａ・Ｂ・Ｃでビスなどにより固定されている。
【００２１】
図６は、図５の防音板４と真空ポンプ５の置台９の平面図である。図４と同様に爪部Ｄ・Ｅにより防音板４に掛けられ、止め部Ａ・Ｂ・Ｃでビスなどにより固定されている。
【００２２】
以上のように構成された空気調和装置の室外機について、以下その動作、作用を説明する。
【００２３】
斜視図５により置台９の設置方法が確認できる。斜視図５と上部図６により、防音板４と置台９は爪部Ｄ・Ｅより防音板４に掛けられ、止め部Ａ・Ｂ・Ｃによりビスなどにより固定されている（爪部Ｄと止め部Ａは同一部分である）。
【００２４】
背景技術にある上部図４の斜線部分のＦ・Ｇは、防音板４と置台６が接して固定しているが、上部図６のこの部分は防音板４と置き台６とが互いに距離をとっており、置台７の爪部Ｄ・Ｅ以外で防音板４と置台９が接触することがない。
【００２５】
これにより防音板４と置台９の異音がなくなり、さらに爪部のみで置台を支えているために、爪部の弾力性によりインシュレーターの役目をなし、防音板４から室外機２への振動を防止することができる。
【００２６】
図７は、本発明の置台９に載置された構造物（真空ポンプ）の重心位置を示している。
【００２７】
この置台９の爪部であるＤ・Ｅと、止め部であるＡ・Ｂ・Ｃ部分を直線で組んで構成される多角形１０の内部に構造物である真空ポンプ５の重心を設けることにより、真空ポンプ５の重心を安定させて振動の拡大を防止することができる。
【産業上の利用可能性】
【００２８】
以上のように、本発明にかかる空気調和装置は、異音や振動を防止することが可能となるので、空気調和装置以外の内部に振動源をもつ機器装置にも適用できる。
【図面の簡単な説明】
【００２９】
【図１】本発明および従来の空気調和装置図
【図２】本発明および従来の空気調和装置図の室外機正面図
【図３】従来の室外機中の防音板と置台の詳細斜視図
【図４】従来の室外機中の防音板と置台の詳細平面図
【図５】本発明の実施の形態１の防音板と置台の詳細斜視図
【図６】本発明の実施の形態１の防音板と置台の詳細平面図
【図７】本発明の実施の形態１の置台と構造物の重心を示した図
【符号の説明】
【００３０】
１    室内機
２    室外機
３    室外ファン
４    防音板
５    真空ポンプ
６    置台
７    圧縮機
８    電装部
９    置台
１０    爪部を結んでなる多角形
【図１】
2005201555.tif 000003
【図２】
2005201555.tif 000004
【図３】
2005201555.tif 000005
【図４】
2005201555.tif 000006
【図５】
2005201555.tif 000007
【図６】
2005201555.tif 000008
【図７】
2005201555.tif 000009